(57)【要約】【課題】携帯用端末機におけるイヤホン装着有無の判断率を向上させるための装置及びその方法を提供する。【解決手段】携帯用端末機におけるイヤホン装着を認識する装置であって、イヤホン接続時にイヤホンプラグの同じ極に接続されるスイッチング端子及び共通接地端子と、前記イヤホンの装着有無を知らせる信号をディテクターを介して発生させる外部出力管理部とを備える。【選択図】      図３
2011125015.tif 000002
【特許請求の範囲】
【請求項１】
携帯用端末機におけるイヤホン装着を認識する装置であって、
イヤホン接続時にイヤホンプラグの同じ極に接続されるスイッチング端子及び共通接地端子と、
前記イヤホンの装着有無を知らせる信号をディテクターを介して発生させる外部出力管理部とを備えることを特徴とする携帯用端末機におけるイヤホン装着を認識する装置。
【請求項２】
前記外部出力管理部は、前記スイッチング端子と前記共通接地端子とが接続されると、前記ディテクターを介してイヤホンが装着されたことを知らせる信号を発生させ、
前記スイッチング端子と前記共通接地端子とが接続されない場合、前記ディテクターを介してイヤホンが装着されていないことを知らせる信号を発生させることを特徴とする請求項１に記載の携帯用端末機におけるイヤホン装着を認識する装置。
【請求項３】
前記外部出力管理部は、前記スイッチング端子と前記共通接地端子とが接続されると、前記ディテクターを介してロー信号を発生させ、前記スイッチング端子と前記共通接地端子とが接続されない場合、前記ディテクターを介してハイ信号を発生させることを特徴とする請求項２に記載の携帯用端末機におけるイヤホン装着を認識する装置。
【請求項４】
前記携帯用端末機におけるイヤホン装着を認識する装置は、前記ディテクターがロー信号を発生した後、再度ロー信号を発生する場合、
前記イヤホンが装着された状態を維持しているか否かを判断することを特徴とする請求項３に記載の携帯用端末機におけるイヤホン装着を認識する装置。
【請求項５】
前記携帯用端末機におけるイヤホン装着を認識する装置は、前記ディテクターがハイ信号を発生した後、再度ハイ信号を発生する場合、
前記イヤホンが装着されていない状態を維持しているか否かを判断することを特徴とする請求項３に記載の携帯用端末機におけるイヤホン装着を認識する装置。
【請求項６】
前記携帯用端末機におけるイヤホン装着を認識する装置は、前記スイッチング端子に前記ディテクターを接続することを特徴とする請求項１に記載の携帯用端末機におけるイヤホン装着を認識する装置。
【請求項７】
携帯用端末機におけるイヤホン装着を認識する方法であって、
イヤホン接続時にスイッチング端子と共通接地端子とを前記イヤホンのイヤホンプラグの同じ極に接続させる工程と、
前記イヤホンの装着有無を知らせる信号をディテクターを介して発生させる工程とを有することを特徴とする携帯用端末機におけるイヤホン装着を認識する方法。
【請求項８】
前記イヤホンの装着有無を知らせる信号をディテクターを介して発生させる工程は、前記スイッチング端子と前記共通接地端子とが接続されているか否かを判断する工程と、
前記スイッチング端子と前記共通接地端子とが接続されていると、前記ディテクターを介してイヤホンが装着されていることを知らせる信号を発生させる工程と、
前記スイッチング端子と前記共通接地端子とが接続されていない場合、前記ディテクターを介してイヤホンが装着されていないことを知らせる信号を発生させる工程とをさらに含むことを特徴とする請求項７に記載の携帯用端末機におけるイヤホン装着を認識する方法。
【請求項９】
前記イヤホンの装着有無を知らせる信号をディテクターを介して発生させる工程は、前記スイッチング端子と前記共通接地端子とが接続されると、前記ディテクターを介してロー信号を発生させる工程と、
前記スイッチング端子と前記共通接地端子とが接続されない場合、前記ディテクターを介してハイ信号を発生させる工程とをさらに含むことを特徴とする請求項８に記載の携帯用端末機におけるイヤホン装着を認識する方法。
【請求項１０】
前記携帯用端末機におけるイヤホン装着を認識する方法は、前記ディテクターがロー信号を発生した後、再度ロー信号を発生する場合、
前記イヤホンが装着された状態を維持しているか否かを判断する工程をさらに含むことを特徴とする請求項９に記載の携帯用端末機におけるイヤホン装着を認識する方法。
【請求項１１】
前記携帯用端末機におけるイヤホン装着を認識する方法は、前記ディテクターがハイ信号を発生した後、再度ハイ信号を発生する場合、
前記イヤホンが装着されない状態を維持しているか否かを判断する工程をさらに含むことを特徴とする請求項９に記載の携帯用端末機におけるイヤホン装着を認識する方法。
【請求項１２】
前記携帯用端末機におけるイヤホン装着を認識する方法は、前記スイッチング端子に前記ディテクターを接続することを特徴とする請求項７に記載の携帯用端末機におけるイヤホン装着を認識する方法。
【発明の詳細な説明】
【技術分野】
【０００１】
本発明は、携帯用端末機の外部出力装置及び方法に関し、特に、３．５パイイヤホンを支援する携帯用端末機におけるイヤホンの装着有無の判断性能を向上させるための装置及びその方法に関する。
【背景技術】
【０００２】
近年、携帯用端末機は、現代人になくてはならない必須品として老若男女を問わず使用されており、サービス提供者及び端末機製造者は他の会社との差別化のために製品（又はサービス）を競争的に開発している。
【０００３】
例えば、携帯用端末機は、フォンブック、ゲーム、短文メッセージ、電子メール、モーニングコール、ＭＰ３、スケジュール管理機能、デジタルカメラ、及び無線インターネットサービスが可能なマルチメディア機器に発展して多様なサービスを提供する。
最近では、動画再生及びＭＰ３再生のような機能に比重をおくマルチメディア機器の製品が発売されるにつれて、携帯用端末機のユーザは、別途のマルチメディア再生機器を携帯しなくても、携帯用端末機を利用してマルチメディアファイルを再生させることができる。
【０００４】
しかしながら、上記のような機能を公共場所で使用する場合、無分別に再生して他人に及ぼす迷惑を防止するために、イヤホンを利用したサービスを提供する。
すなわち、携帯用端末機のユーザは、他人に迷惑を及ぼさず、かつイヤホンを利用したサービスを介して音楽及びオーディオサービスの提供を受けることができるだけでなく、呼接続による通話の際、イヤホンのスピーカーとマイクを介して携帯用端末機を手に持って通話できない状況でも、通話サービスの提供を受けることができる。
【０００５】
図１は、一般的な携帯用端末機におけるイヤホンを装着する工程を示す図である。
図１の（Ａ）は、一般的な携帯用端末機のイヤホンプラグとイヤホンジャックとを示す図である。
図１の（Ａ）を参照すると、まず携帯用端末機は、図に示すのように４極イヤホンを支援すると仮定する。
【０００６】
上記のような４極イヤホンであるイヤホンプラグの共通接地端子である２番端子１０１、マイク端子である３番端子１０２、右音響端子である４番端子１０３、及び左音響端子である５番端子１０４は、イヤホンジャックのイヤホンプラグの各々に対応する極に接触され、イヤホンプラグがイヤホンジャックに装着される場合、図１（Ａ）の右側の図に示すように、イヤホンジャックのスイッチ端子である６番端子１０７が左音響端子である５番端子１０６と結合されて、携帯用端末機では、イヤホンの装着有無を判断することができる。残りの接地端子１０５、マイク端子１１０、及び右音響端子１０９は、上述したように、イヤホンプラグの各々対応する極と接触される。
【０００７】
図１の（Ｂ）は、一般的な携帯用端末機にイヤホンが装着又は脱着される状況を示す図である。
図１の（Ｂ）に示すように、イヤホンのイヤホンプラグがイヤホンジャックに装着される場合、左音響端子である５番端子板１３０とスイッチング端子である６番端子板１２０とが接触するようになる。
スイッチング端子である６番端子板１２０上下に抵抗を具備してこれを比較器（図示せず）に接続することによって、５番端子板１３０と６番端子板１２０とが接触すると、比較器はロー信号が発生してイヤホンが装着されたことを認識するようになる。
【０００８】
図１の（Ｂ）のうち、左側に示す図は、イヤホンプラグがイヤホンジャックが装着されない図であって、５番端子板１３０と６番端子板１２０とは接触されない。
しかしながら、イヤホンプラグがイヤホンジャックに装着される場合、図１（Ｂ）の右側に示す図のように、イヤホンプラグの装着１４０により、６番端子と５番端子とが接触１５０されるようになる。
【０００９】
図１において説明したように、携帯用端末機は、５番端子と６番端子との接触１５０を確認して、イヤホンの装着有無を判断するが、端子の接触有無を判断する比較器の単価、及び５番端子と６番端子との間に異物が挟まる場合、携帯用端末機は、イヤホンが装着された状況であると判断して、スピーカーによる出力を行わずにイヤホンモードで動作するようになるという問題点がある。
そのため、上記のような問題点を解決するために、携帯用端末機で正確なイヤホンの装着有無を判断しつつ、携帯用端末機の単価を減らすための装置及び方法が求められている。
【先行技術文献】
【特許文献】
【００１０】
【特許文献１】韓国特許出願公開第１０−２００４−００１０８０５８号明細書
【発明の概要】
【発明が解決しようとする課題】
【００１１】
そこで、本発明は上記従来のイヤホン装着における問題点に鑑みてなされたものであって、本発明の目的は、携帯用端末機におけるイヤホン装着有無の判断率を向上させるための装置及びその方法を提供することにある。
本発明の他の目的は、携帯用端末機における比較器無しでイヤホンの装着有無を判断して、生産単価を減らすための装置及びその方法を提供することにある。
本発明のさらに他の目的は、携帯用端末機におけるイヤホンの装着有無を判断する端子に異物が挟まらないようにする構造を提供するための装置及びその方法を提供することにある。
【課題を解決するための手段】
【００１２】
上記目的を達成するためになされた本発明による携帯用端末機におけるイヤホン装着を認識する装置は、携帯用端末機におけるイヤホン装着を認識する装置であって、イヤホン接続時にイヤホンプラグの同じ極に接続されるスイッチング端子及び共通接地端子と、前記イヤホンの装着有無を知らせる信号をディテクターを介して発生させる外部出力管理部とを備えることを特徴とする。
【００１３】
上記目的を達成するためになされた本発明による携帯用端末機におけるイヤホン装着を認識する方法は、携帯用端末機におけるイヤホン装着を認識する方法であって、イヤホン接続時にスイッチング端子と共通接地端子とを前記イヤホンのイヤホンプラグの同じ極に接続させる工程と、前記イヤホンの装着有無を知らせる信号をディテクターを介して発生させる工程とを有することを特徴とする。
【発明の効果】
【００１４】
本発明に係る携帯用端末機におけるイヤホン装着を認識する装置及びその方法によれば、携帯用端末機におけるイヤホンの装着有無の判断性能を向上させ、従来の携帯用端末機に装着された比較器（ＣＯＭＰＡＲＡＴＯＲ）を使用せずに、異物が挟まらない構造のイヤホンプラグを使用することによって、比較器による端末機単価上昇の問題を解決し、イヤホンの認識率を向上させることができるという効果がある。
【図面の簡単な説明】
【００１５】
【図１】（Ａ）は一般的な携帯用端末機のイヤホンのイヤホンプラグとイヤホンジャックとを示す図であり、（Ｂ）は一般的な携帯用端末機にイヤホンが装着又は脱着される状況を示す図である。
【図２】本発明によってイヤホン装着を判断する携帯用端末機の構成を示すブロック図である。
【図３】（Ａ）は本発明の一実施形態による携帯用端末機のイヤホンプラグとイヤホンジャックとを示す図であり、（Ｂ）は本発明の一実施形態による携帯用端末機にイヤホンが装着された状況を示す図である。
【図４】本発明に係る携帯用端末機におけるイヤホンの装着有無を判断する工程を説明するためのフローチャートである。
【発明を実施するための形態】
【００１６】
次に、本発明に係る携帯用端末機におけるイヤホン装着を認識する装置及びその方法を実施するための形態の具体例を図面を参照しながら説明する。
本発明を説明するに当たって、関連した公知機能あるいは構成についての具体的な説明が本発明の要旨を不明にするおそれがあると判断された場合には、その詳細な説明を省略する。
以下では、本発明によって３．５パイイヤホンを支援する携帯用端末機におけるイヤホンの装着有無の判断性能を向上させるための装置及び方法について説明する。
ここで、３．５パイイヤホンは、携帯用端末機から発生する音響を出力することで、外部スピーカー、マイクのような外部出力装置をすべて含む意味である。
【００１７】
図２は、本発明によってイヤホン装着を判断する携帯用端末機の構成を示すブロック図である。
図２に示すように、携帯用端末機は、制御部２００、外部出力管理部２０２、メモリ部２０６、入力部２０８、表示部２１０、及び通信部２１２を備えて構成され、外部出力管理部２０２は、ディテクター２０４をさらに備えて構成される。
【００１８】
本発明に係る携帯用端末機は、左音響端子である５番端子とスイッチング端子とが接続される既存の携帯用端末機とは異なり、本実施形態では共通接地端子である２番端子とスイッチング端子である６番端子とは同じ極線に接続され、マイク端子と左、右音響端子は、既存の携帯用端末機と同様に接続されるように構成したイヤホンジャックを含む（図３参照）。
【００１９】
携帯用端末機の制御部２００は、携帯用端末機の全般的な動作を制御する。例えば、音声通話及びデータ通信のための処理及び制御を行い、通常の機能に加えて本発明によって、制御部２００は、共通接地端子である２番端子とスイッチング端子である６番端子とがイヤホンプラグの同じ極線を介して接続され、マイク端子と左、右音響端子とが各々の対応する極線に接続されたことを確認した場合、携帯用端末機にイヤホンが装着されたと判断する。
【００２０】
また、制御部２００は、共通接地端子である２番端子とスイッチング端子である６番端子とが同じ極線を介して接続されてから接続解除されるか、又は２番端子と６番端子とが接続解除された状態を維持する場合、イヤホンが携帯用端末機に装着されていない状態と判断できる。
【００２１】
外部出力管理部２０２は、イヤホンのイヤホンプラグの装着及び脱着が可能なイヤホンジャックを含み、イヤホンジャックは、上述したように共通接地端子である２番端子とスイッチング端子である６番端子とはイヤホンプラグの同じ極線に接続され、マイク端子と左、右音響端子は既存の携帯用端末機と同様に接続される。
【００２２】
これは、左音響端子である５番端子とスイッチング端子である６番端子との接触有無によりイヤホンの装着有無を判断する既存の携帯用端末機において、左音響端子とスイッチング端子間に異物が挟まるような不具合がないので、前記イヤホンが脱着されても装着されたように認識される問題点を解決できる。
【００２３】
上記のように構成された外部出力管理部２０２は、スイッチング端子にディテクター２０４を追加し、共通接地端子とスイッチング端子とが接触される場合（イヤホンプラグがイヤホンジャックに装着される場合）、ディテクター２０４の信号がローになるように処理する。
【００２４】
これに対し、外部出力管理部２０２は、共通接地端子とスイッチング端子とが接触されない場合（イヤホンプラグがイヤホンジャックに装着されない場合）、ディテクター２０４の信号がハイになるようにする。
これにより、外部出力管理部２０２は、ディテクター２０４の信号を確認してイヤホンの装着有無を判断できる。
【００２５】
外部出力管理部２０２のディテクター２０４は、イヤホンの装着有無に応じる信号を発生させるものであって、本実施形態によるディテクター２０４は、スイッチング端子と接続させた構造でイヤホンプラグがイヤホンジャックに装着される場合、ロー信号を出力し、イヤホンプラグがイヤホンジャックから脱着される場合、ハイ信号を発生させる。
【００２６】
メモリ部２０６は、ＲＯＭ、ＲＡＭ、フラッシュＲＯＭから構成される。ＲＯＭは、制御部２００及び外部出力管理部２０２の処理及び制御のためのプログラムのマイクロコードと各種参照データを格納する。
ＲＡＭは、制御部２００のワーキングメモリであって、各種プログラムの遂行中に発生する一時的なデータを格納する。また、フラッシュＲＯＭは、電話帳、発信メッセージ及び受信メッセージのような更新可能な各種保管用データを格納する。
【００２７】
入力部２０８は、０〜９の数字キーボタン、メニューボタン、取消ボタン、確認ボタン、通話ボタン、終了ボタン、インターネット接続ボタン、ナビゲーションキー（又は方向キー）ボタン及び文字入力キー等、複数のファンクションキーを具備し、ユーザが押さえるキーに対応するキー入力データを制御部２００に提供する。
【００２８】
表示部２１０は、携帯用端末機の動作中に発生する状態情報、文字、多量の動画及び静止画像などをディスプレイする。表示部２１０は、カラー液晶ディスプレイ装置を使用することができ、表示部２１０は、タッチ入力装置を具備して、タッチ入力方式の携帯用端末機に適用する場合、入力装置として使用することができる。
【００２９】
通信部２１２は、アンテナ（図示せず）を介して入出力されるデータの無線信号を送受信処理する機能を行う。例えば、送信の場合、送信するデータをチャネルコーディング及び拡散した後、ＲＦ処理して送信する機能を行い、受信の場合、受信されたＲＦ信号をベースバンド信号に変換し、ベースバンド信号を逆拡散及びチャネル復号して、データを復元する機能を行う。
【００３０】
外部出力管理部２０２の役割は、携帯用端末機の制御部２００により行うことができるが、本発明でこれを別途に構成して示したのは、説明の便宜のための例示的な構成であって、決して本発明の範囲を制限するためではなく、当業者であれば、本発明の範囲内で多様な変形構成が可能であるということが分かる。例えば、これらすべてを制御部２００で処理するように構成することもできる。
【００３１】
以上は、本発明による３．５パイイヤホンを支援する携帯用端末機において、イヤホンの装着有無の判断性能を向上させるための装置について説明した。
以下では、本発明の一実施形態による上述の装置を利用して携帯用端末機でイヤホンの装着有無の判断性能を向上させるための方法について説明する。
【００３２】
図３（Ａ）は本発明の一実施形態による携帯用端末機のイヤホンプラグとイヤホンジャックとを示す図であり、（Ｂ）は本発明の一実施形態による携帯用端末機にイヤホンが装着された状況を示す図である。
図３の（Ａ）に示すように、４極イヤホンであり、本発明によるイヤホンプラグの共通接地端子である２番端子３０１とスイッチング端子である６番端子３０５とがの同じ極線に接続され、マイク端子３０２と左、右音響端子３０３、３０４とは既存の携帯用端末機と同様に接続される。
【００３３】
すなわち、上記のようなイヤホンプラグがイヤホンジャックに装着されると、図に示すように、イヤホンプラグの同じ極線を介してイヤホンジャックのスイッチング端子３０９は共通接地端子３０７と接続され、左、右音響端子３１０、３１１、及びマイク端子３１２は、各々対応する極線に接続される。すなわち、携帯用端末機は、接地端子３０７とスイッチ端子３０９との接続有無３０６によってイヤホンの装着有無を判断できる。
【００３４】
図３の（Ｂ）は本発明の一実施形態による携帯用端末機にイヤホンが装着された状況を示す図であるが、図に示すように、携帯用端末機にイヤホンが装着３２０される場合、スイッチング端子である６番端子は、イヤホンの装着によって共通接地端子である２番端子と接触３３０する。
上記のように、２番端子と６番端子との接触有無によって携帯用端末機はイヤホンの装着有無を判断できる。
【００３５】
図４は、本発明に係る携帯用端末機におけるイヤホンの装着有無を判断する工程を説明するためのフローチャートである。
図４に示すように、携帯用端末機は、まずイヤホン接続を判断するための端子を確認する（ステップＳ４０１）。
【００３６】
ここで、携帯用端末機は、既存の携帯用端末機でイヤホン装着有無を判断するための左音響端子である５番端子とスイッチング端子である６番端子を接続させるのではなく、本実施形態では、スイッチング端子である６番端子を接地端子である２番端子と接続されるようにし、接地端子は、スイッチング端子である６番端子との接続有無に応じるハイ信号又はロー信号を感知するディテクターを備える。
【００３７】
すなわち、携帯用端末機は、ステップＳ４０１にてイヤホンの装着有無を判断するために、スイッチング端子である６番端子と接地端子である２番端子とが接続されているか否かを確認する。
携帯用端末機にイヤホンが装着される場合、スイッチング端子である６番端子と接地端子である２番端子と接続されることによって、ディテクターの信号はローになり、イヤホンが装着されない場合、スイッチング端子と接地端子は接続解除されてディテクターの信号はハイになる。
【００３８】
次に、携帯用端末機は、ステップＳ４０３に進んでスイッチング端子である６番端子と接地端子である２番端子とがイヤホンプラグの同じ極を介して互いに接続されたか否かを判断する。
ステップＳ４０３にてスイッチング端子である６番端子と接地端子である２番端子とが接続されることを判断した場合、携帯用端末機は、ステップＳ４０５に進んで接地端子である２番端子と接続されたディテクターの信号をローになるように処理する。
【００３９】
次に、携帯用端末機はステップＳ４０７に進んで、ディテクターの信号がハイからローに変わったか否かを判断する。
すなわち、携帯用端末機は、ステップＳ４０７にてスイッチング端子である６番端子と接地端子である２番端子とが接触した状態で接続される状況、すなわち、ディテクターの信号がハイからローに変わったか否か、又はスイッチング端子である６番端子と接地端子である２番端子とが接続された状態を維持している状況、すなわち、ディテクターの信号がローからローに変わたか否かを判断する。
【００４０】
もし、ステップＳ４０７にてスイッチング端子である６番端子と接地端子である２番端子とが接続された状態を維持していることを確認した場合（ディテクターの信号がローからロー）、携帯用端末機は、ステップＳ４０３にもどり以降の工程を再度行う。これは、携帯用端末機がイヤホンが装着されたことを判断した後、持続的にイヤホンが装着されているかどうかを判断するためである。
【００４１】
一方、ステップＳ４０７にてスイッチング端子である６番端子と接地端子である２番端子とが接触した状態で接続された状況であることを確認した場合（ディテクターの信号がハイからロー）、携帯用端末機は、ステップＳ４０９に進んでイヤホンが装着されたと判断する。
【００４２】
一方、ステップＳ４０３にてスイッチング端子である６番端子と接地端子である２番端子とが接続解除されたことを確認した場合、携帯用端末機は、ステップＳ４１１に進んで接地端子である２番端子と接続されたディテクターの信号をハイになるように処理する。
【００４３】
次に、携帯用端末機は、ステップＳ４１３に進んでディテクターの信号がローからハイに変わったか否かを判断する。
すなわち、携帯用端末機は、ステップＳ４１３にてスイッチング端子である６番端子と接地端子である２番端子とが接続された状態から接続解除される状況、すなわち、ディテクターの信号がローからハイに変わったか否か、又はスイッチング端子である６番端子と接地端子である２番端子とが接続解除された状態を維持している状況、すなわち、ディテクターの信号がハイからハイに変わったか否かを判断する。
【００４４】
もし、ステップＳ４１３にてスイッチング端子である６番端子と接地端子である２番端子とが接続解除された状態を維持していることを確認する場合（ディテクターの信号がハイからハイ）、携帯用端末機は、ステップＳ４０３にもどり以降の工程を再度行う。これは、携帯用端末機がイヤホンが装着されないことを判断した後、持続的にイヤホンが装着されていないかどかを判断するためである。
【００４５】
一方、ステップＳ４１３にてスイッチング端子である６番端子と接地端子である２番端子とが接続された状態から接続解除された状況になったことを確認した場合、携帯用端末機は、ステップＳ４１５に進んでイヤホンが脱着されたと判断する。
次に、携帯用端末機は、本アルゴリズムを終了する。
【００４６】
上述したように、本発明は、３．５パイイヤホンを支援する携帯用端末機におけるイヤホンの装着有無の判断性能を向上させるための装置及び方法に関し、従来の携帯用端末機に装着された比較器（ＣＯＭＰＡＲＡＴＯＲ）を使用せずに、異物が挟まらない構造のイヤホンプラグを使用することによって、比較器による端末機単価上昇の問題を解決し、イヤホンの認識率を向上させることができる。
【００４７】
尚、本発明は、上述の実施形態に限られるものではない。本発明の技術的範囲から逸脱しない範囲内で多様に変更実施することが可能である。
【符号の説明】
【００４８】
２００    制御部
２０２    外部出力管理部
２０４    ディテクター
２０６    メモリ部
２０８    入力部
２１０    表示部
２１２    通信部
３０１    イヤホンプラグの共通接地端子
３０２    イヤホンプラグのマイク端子
３０３    イヤホンプラグの左音響端子
３０４    イヤホンプラグの右音響端子
３０５    イヤホンプラグのスイッチング端子
３０７    イヤホンジャックの共通接地端子
３０９    イヤホンジャックのスイッチング端子
３１０    イヤホンジャックの左音響端子
３１１    イヤホンジャックの右音響端子
３１２    イヤホンジャックのマイク端子
【図１】
2011125015.tif 000003
【図２】
2011125015.tif 000004
【図３】
2011125015.tif 000005
【図４】
2011125015.tif 000006